(57)【要約】      （修正有）【課題】給油口から給油管に挿入される給油ノズルの外径を識別する誤給油防止装置提供する。【解決手段】給油ノズルの貫通口211を設けたベース21と、前記ベース21のリンク揺動軸を中心に揺動し、前記貫通口211に近づく方向へ付勢された第１リンクアーム22と、前記第１リンクアーム22のアーム連結軸を中心に揺動し、前記貫通口211に近づく方向へ付勢された第２リンクアーム23と、ベース21のフラッパ回動軸を中心として給油ノズルの挿入方向に回動し、閉位置に向けて付勢されたフラッパ24とから構成され、第１リンクアーム22と第２リンクアーム23とは、ガソリン用の給油ノズルの外径より大きく、軽油用の給油ノズルの外径より小さい距離で対向する第１トリガー突起及び第２トリガー突起を突出させ、第２リンクアーム23は、フラッパ24に設けた掛止突起243に係合するストッパを設けた誤給油防止装置２である。【選択図】図１
2015074409.tif 000002
【特許請求の範囲】
【請求項１】
給油口から給油管に挿入される給油ノズルの外径から前記給油ノズルが軽油用又はガソリン用を識別し、軽油用の給油ノズルであれば通過させ、ガソリン用の給油ノズルであれば通過を阻止する誤給油防止装置であって、
給油ノズルの挿入方向に交差して給油口又は給油管を塞ぎ、前記給油ノズルの貫通口を設けたベースと、
前記ベースに位置固定されたリンク揺動軸を中心として貫通口を避けて前記貫通口と平行に揺動し、前記貫通口に近づく方向へ付勢された第１リンクアームと、
前記第１リンクアームと連結するアーム連結軸を中心として貫通口を避けて前記貫通口と平行に揺動し、前記貫通口に近づく方向へ付勢された第２リンクアームと、
ベースに位置固定されたフラッパ回動軸を中心として貫通口の一部又は全部を占める閉位置から前記貫通口から遠ざかる開位置まで給油ノズルの挿入方向に回動し、前記閉位置に向けて付勢されたフラッパとから構成され、
第１リンクアームと第２リンクアームとは、ガソリン用の給油ノズルの外径より大きく、軽油用の給油ノズルの外径より小さい距離で対向する第１トリガー突起及び第２トリガー突起を前記貫通口の範囲に突出させ、
第２リンクアームは、フラッパに設けた掛止突起に係合するストッパを設けたことを特徴とする誤給油防止装置。
【請求項２】
第１リンクアーム及び第２リンクアームは、第１トリガー突起及び第２トリガー突起の上面に、突出方向に下り勾配の傾斜縁又は傾斜面を設けた請求項１記載の誤給油防止装置。
【請求項３】
第１リンクアーム及び第２リンクアームは、一端が第１リンクアームに、他端が第２リンクアームに係止され、第１リンクアーム及び第２リンクアームの連結方向にアーム連結軸を跨いで外嵌された弾性リングにより、貫通口に近づく方向へ付勢された請求項１又は２いずれか記載の誤給油防止装置。
【請求項４】
第１リンクアーム及び第２リンクアームは、一端が第１リンクアームに、他端が第２リンクアームに摺接され、第１リンクアーム及び第２リンクアームの連結方向にアーム連結軸を跨いで外嵌され、中央部をベースに支持された弾性リングにより、貫通口に近づく方向へ付勢された請求項１又は２いずれか記載の誤給油防止装置。
【請求項５】
フラッパは、貫通口に倣った外形状の面板である請求項１〜４いずれか記載の誤給油防止装置。
【請求項６】
フラッパは、掛止突起又は掛止突起の支持部位を、給油ノズルが受け流し荷重以上で押し付けられると弾性変形するようにした請求項１〜５いずれか記載の誤給油防止装置。
【請求項７】
ベースは、第１リンクアーム及び第２リンクアームの揺動を確保して、貫通口に連通する案内口を開口したアッパーハウジングを装着した請求項１〜６いずれか記載の誤給油防止装置。
【請求項８】
ベースは、給油口又は給油管に対する隙間を満たすスペーサを外装した請求項１〜７いずれか記載の誤給油防止装置。
【発明の詳細な説明】
【技術分野】
【０００１】
本発明は、給油口から給油管に挿入される給油ノズルの外径から前記給油ノズルが軽油用又はガソリン用を識別し、軽油用の給油ノズルであれば通過させ、ガソリン用の給油ノズルであれば通過を阻止する誤給油防止装置に関する。
【背景技術】
【０００２】
軽油用の給油ノズルとガソリン用の給油ノズルとは、前者の外径が後者の外径に比べて大きい。こうした外径の差を識別し、いずれか一方（例えば相対的に外径の大きな軽油用の給油ノズル）の場合であれば開き、残る他方（例えば相対的に外径の小さなガソリン用の給油ノズル）の場合に開かない誤給油防止装置が、給油口に設けられることがある（特許文献１〜特許文献３）。こうした誤給油防止装置は、一般に、給油口キャップのない誤給油防止装置として構成される例が多い（特許文献１〜特許文献３）。
【０００３】
特許文献１が開示する誤給油防止装置（給油ミス防止装置）は、給油ノズルの進入を阻止するフラッパ扉（特許文献１・［請求項１］［請求項６］）に係合したり、外れたりするロック部材をアクチュエータに接続した構成である（特許文献１・［請求項１］）。アクチュエータは、外嵌されたアーチ状バネにより、拡径すると閉じる方向に付勢が働く（特許文献１・［0023］［0024］）。外径の小さなガソリン用の給油ノズルは、アクチュエータを拡径できないため、ロック部材がフラッパ扉に係合したままとなり、前記フラッパにより進入が阻止される。これに対し、外径の大きな軽油用の給油ノズルは、アクチュエータを拡径してロック部材をフラッパから外し、前記フラッパ扉を押し開いて進入する。
【０００４】
特許文献２が開示する誤給油防止装置は、給油ノズルの進入を阻止するフラップ（flap 30）の半径方向凸部（radial extension 40）に係合したり、外れたりするフック部材（hook element 36,38）を有する駆動リング（drive ring 22）を備えた構成である（特許文献２・［0020］、Fig.４）。駆動リングは、自身の弾性復元力により、拡径すると閉じる方向に付勢が働く。外径の小さなガソリン用の給油ノズルは、駆動リングを拡径できないため、フック部材が半径方向凸部に係合したままとなり、フラップにより進入が阻止される。これに対し、外径の大きな軽油用の給油ノズルは、駆動リングを拡径してフック部材を半径方向凸部から外し、フラップを押し開いて進入する。
【０００５】
特許文献３が開示する誤給油防止装置は、給油ノズルの進入を阻止するシャッタ（shutter 41）の半径方向膨出部（radial projection 64）に係合したり、外れたりするフック（hook 47,47）を有するリング（ring 40）を備えた構成である（特許文献２・［0020］、Fig.４）。リングは、一対の弾性アーム（flexible arm 49,49）を給油管内側に押し当てることにより閉じる方向へ付勢されている。外径の小さなガソリン用の給油ノズルは、リングを拡径できないため、フックが半径方向膨出部に係合したままとなり、シャッタにより進入が阻止される。これに対し、外径の大きな軽油用の給油ノズルは、リングを拡径してフックを半径方向膨出部から外し、シャッタを押し開いて進入する。
【先行技術文献】
【特許文献】
【０００６】
【特許文献１】特表2012-520204号公報
【特許文献２】米国特許出願公開第2011/139779号明細書
【特許文献３】国際公開第10/113063号パンフレット
【発明の概要】
【発明が解決しようとする課題】
【０００７】
特許文献１〜特許文献３が開示する誤給油防止装置は、いずれもフラッパ（特許文献１：フラッパ扉、特許文献２：フラップ、特許文献３：シャッタ）に係合する樹脂製の環状部材（特許文献１：アクチュエータ、特許文献２：駆動リング、特許文献３：リング）を給油ノズルが拡径すれば前記給油ノズルによりフラッパを押し開き、拡径できなければ前記給油ノズルが押してもフラッパが開かれないようにする。そして、半径方向に延びるスリットを周方向に断続して並べた環状部材が、周方向に連続して弾性変形して湾曲しながら拡径する点が共通する。しかし、こうした環状部材は、次のような問題点がある。
【０００８】
樹脂製の環状部材を弾性変形させるには、環状部材を硬くできず、結果として強度が抑制されるため、環状部材の耐久性を低下させる問題があった。そして、給油ノズルを押し当てて弾性変形させる環状部材は、径時的に応力緩和が進むと拡径したまま復元しにくくなり、フラッパが係合しなくなって自由又は容易に前記フラッパを開閉させる問題もあった。これは、環状部材に接触することなく、給油ノズルがフラッパを押し開くことができるようになり、結果として給油ノズルの識別ができなくなることを意味する。
【０００９】
また、給油ノズルを押し当てて弾性変形させる環状部材は、給油ノズルに過剰な摺動抵抗を与える問題がある。樹脂製の環状部材は、長期にわたって弾性変形及び復元させるため、弾性変形部位が弱くならないように、環状部材全体を給油ノズルの挿入方向に厚く作る傾向がある。このため、給油ノズルに摺接する部分も前記給油ノズルの挿入方向に長くなりがちで、給油ノズルとの間で摺動抵抗が大きくなる。給油口に対する給油ノズルの抜き差しに際し、前記摺動抵抗は無視できないものであり、給油作業における給油ノズルの操作感を損ねていた。
【００１０】
このように、従来の誤給油防止装置は、給油ノズルを押し当てて弾性変形させる環状部材に起因する問題があった。そこで、給油ノズルを押し当てて弾性変形させる樹脂製の環状部材に頼らず、給油口から給油管に挿入される給油ノズルの外径を識別できる構成を有する誤給油防止装置を開発するため、検討した。
【課題を解決するための手段】
【００１１】
検討の結果開発したものが、給油口から給油管に挿入される給油ノズルの外径から前記給油ノズルが軽油用又はガソリン用を識別し、軽油用の給油ノズルであれば通過させ、ガソリン用の給油ノズルであれば通過を阻止する誤給油防止装置であって、給油ノズルの挿入方向に交差して給油口又は給油管を塞ぎ、前記給油ノズルの貫通口を設けたベースと、前記ベースに位置固定されたリンク揺動軸を中心として貫通口を避けて前記貫通口と平行に揺動し、前記貫通口に近づく方向へ付勢された第１リンクアームと、前記第１リンクアームと連結するアーム連結軸を中心として貫通口を避けて前記貫通口と平行に揺動し、前記貫通口に近づく方向へ付勢された第２リンクアームと、ベースに位置固定されたフラッパ回動軸を中心として貫通口の一部又は全部を占める閉位置から前記貫通口から遠ざかる開位置まで給油ノズルの挿入方向に回動し、前記閉位置に向けて付勢されたフラッパとから構成され、第１リンクアームと第２リンクアームとは、ガソリン用の給油ノズルの外径より大きく、軽油用の給油ノズルの外径より小さい距離で対向する第１トリガー突起及び第２トリガー突起を前記貫通口の範囲に突出させ、第２リンクアームは、フラッパに設けた掛止突起に係合するストッパを設けたことを特徴とする誤給油防止装置である。
【００１２】
本発明の誤給油防止装置は、第１リンクアーム及び第２リンクアームがリンク揺動軸を基端とする屈曲リンクを構成する。これにより、第１トリガー突起及び第２トリガー突起が共に給油ノズルに押されると、貫通口から遠ざかる方向へ揺動した第１リンクアームのアーム連結軸を基端として、第２リンクアームが貫通口から遠ざかる方向へ揺動することになり、第２リンクアームに設けられたストッパの変位量を、給油ノズルの外径差以上に大きくできる。こうして、本発明の誤給油防止装置は、ストッパの変位量を大きくして、給油ノズルの外径を識別しやすくしている。
【００１３】
外径の小さなガソリン用の給油ノズルは、第１トリガー突起又は第２トリガー突起のいずれかのみを押し、リンク揺動軸を中心として第１リンクアーム及び第２リンクアームを一体に揺動させる。このため、第２リンクアームに設けたストッパは、多少ずれてもフラッパの掛止突起を外さないので、給油ノズルは、貫通口の一部又は全部を占める前記フラッパによりベースから奥へ挿入されることが阻止される。
【００１４】
これに対し、外径の大きな軽油用の給油ノズルは、第１トリガー突起及び第２トリガー突起双方を押し、リンク揺動軸を中心として第１リンクアームを貫通口から遠ざかるように揺動させ、アーム連結軸を中心として第２リンクアームを貫通口から遠ざかるように揺動させる。これにより、第２リンクアームに設けたストッパは、大きくずれてフラッパの掛止突起を外すので、給油ノズルは、フラッパを押し開いてベースより奥へ挿入されることが許可される
【００１５】
第１リンクアーム又は第２リンクアームは、給油口から挿入された給油ノズルの先端及び外周面に、第１トリガー突起又は第２トリガー突起が押されて、それぞれ貫通口から遠ざかる方向へ揺動する。第１リンクアーム及び第２リンクアームは、第１トリガー突起及び第２トリガー突起の上面に、突出方向に下り勾配の傾斜縁又は傾斜面を設けるとよい。これにより、給油口から挿入された給油ノズルは、まず先端が第１トリガー突起及び第２トリガー突起の傾斜縁又は傾斜面に当接して第１リンクアーム又は第２リンクアームを押し開き、次に外周面が第１トリガー突起及び第２トリガー突起の先端に摺接して、第１リンクアーム又は第２リンクアームが押し開かれた状態を維持する。
【００１６】
第１リンクアーム及び第２リンクアームは、弾性部材（コイルバネや板バネ）で押すことにより、貫通口に近づく方向へ付勢する。このほか、第１リンクアーム及び第２リンクアームは、一端が第１リンクアームに、他端が第２リンクアームに係止され、第１リンクアーム及び第２リンクアームの連結方向にアーム連結軸を跨いで外嵌された弾性リングにより、貫通口に近づく方向へ付勢されるようにしてもよい。第１リンクアーム又は第２リンクアームが貫通口から遠ざかる方向へ揺動すると、前記第１リンクアーム又は第２リンクアームに一端又は他端が係止された弾性リングは、前記第１リンクアーム又は第２リンクアームに追随して拡径し、縮径しようとする復元力（弾性力）を発生させる。第１リンクアーム及び第２リンクアームは、前記復元力を付勢力として貫通口に近づく方向へ付勢され、初期状態に復帰する。
【００１７】
また、第１リンクアーム及び第２リンクアームは、一端が第１リンクアームに、他端が第２リンクアームに摺接され、第１リンクアーム及び第２リンクアームの連結方向にアーム連結軸を跨いで外嵌され、中央部をベースに支持された弾性リングにより、貫通口に近づく方向へ付勢されるようにしてもよい。第１リンクアーム又は第２リンクアームが貫通口から遠ざかる方向へ揺動すると、中央部をベースに支持された弾性リングは、一端又は他端を第１リンクアーム又は第２リンクアームの外周に摺接させながら押されて拡径し、縮径しようとする復元力（弾性力）を発生させる。第１リンクアーム及び第２リンクアームは、前記復元力を付勢力として貫通口に近づく方向へ付勢され、初期状態に復帰する。
【００１８】
フラッパは、閉位置において、貫通口の一部又は全部を占めて、前記貫通口を通過しようとする給油ノズルの障害物となればよい。これから、フラッパは、貫通口を縦断する棒体又は板体とし、貫通口の全部を塞がなくても構わない。「貫通口の一部を占める」とは、隙間を残して貫通口を塞ぐことを意味する。ここで、フラッパは、貫通口に倣った外形状の面板として前記貫通口を全部又はほとんど全部を塞げば、前記フラッパに阻止された給油ノズルからガソリンが給油された際、前記ガソリンが揮発して、給油口付近の気圧を直ちに上昇させることができる。「貫通口の全部を占める」とは、ほとんど又は完全に隙間を残さずに貫通口を塞ぐことを意味する。
【００１９】
フラッパは、閉位置において、貫通口を通過しようとする給油ノズルの障害物になればよく、前記給油ノズルに対向する強度は必要ない。むしろ、通過した給油ノズルが、押し込まれた際、破損しないように、前記給油ノズルから逃げる構造又は構成が好ましい。これから、フラッパは、掛止突起又は掛止突起の支持部位を、給油ノズルが受け流し荷重以上で押し付けられると弾性変形するようにした構成にするとよい。予め設定した受け流し荷重以上で給油ノズルが押し付けられたフラッパは、掛止突起又は掛止突起の支持部位を弾性変形させて前記掛止突起が第２リンクアームのストッパを乗り越えられるようにする。
【００２０】
ベースは、第１リンクアーム及び第２リンクアームの揺動を確保して、貫通口に連通する案内口を開口したアッパーハウジングを装着するとよい。ここで、「第１リンクアーム及び第２リンクアームの揺動を確保」するとは、前記第１リンクアーム及び第２リンクアームの揺動が妨げられないように、例えば突起物等のないように、ベースに対してアッパーハウジングを装着することを意味する。これにより、ベース及びアッパーハウジングに挟まれて揺動面が特定されるため、第１リンクアーム及び第２リンクアームの揺動が安定するほか、ベースからアッパーハウジングが一体のモジュールにできる。アッパーハウジングは、ベースと反対側の上端面から窪んだ錐台面の底に、前記ベースの貫通口と同心かつ同じ大きさの案内口を設けた構成が好ましい。この場合、給油口から給油管に挿入される給油ノズルは、錐台面に沿って案内口に導かれ、前記案内口から真っ直ぐに貫通口に挿入されるため、第１リンクアーム及び第２リンクアームの第１トリガー突起及び第２トリガー突起に先端及び外周面が均等に当接しやすくなる。
【００２１】
本発明の誤給油防止装置は、ベースの外周面又は外周縁を給油管の内周面に対して密に内嵌させて取り付けるが、給油管の内径は車種により異なり、それぞれに合わせてベースを構成することは、多品種少量生産となり、生産効率が好ましくない。そこで、ベースは、給油口又は給油管に対する隙間を満たすスペーサを外装し、前記スペーサの外周面を給油口又は給油管の内周面に対して密に内嵌させるとよい。これにより、ベースを標準化して仕様を固定しながら、車種により異なる前記ベースの外周面と給油口又は給油管の内周面との隙間を、スペーサの仕様変更のみで対応できる。
【発明の効果】
【００２２】
本発明の誤給油防止装置は、屈曲リンクを構成する第１リンクアーム及び第２リンクアームにより、第２リンクアームに設けたストッパの変位量を給油ノズルの外径差以上にすることにより、給油口から給油管に挿入される給油ノズルの外径を容易に識別する。第１リンクアーム及び第２リンクアームは、いずれも弾性変形する必要がないため、例えばFRP構造を採用して強度を高め、構成部材の耐久性を向上させることができる。また、弾性変形させる必要のない樹脂部材である第１リンクアーム及び第２リンクアームは、応力緩和等の経年劣化の心配もないので、給油ノズルの識別ができなくなることもない。
【００２３】
また、本発明の誤給油防止装置は、給油ノズルが第１トリガー突起又は第２トリガー突起にしか接触しないので、従来の環状部材に比べて摺動抵抗が大幅に低減されており、給油ノズルの抜き差しする操作感を損ねない。第１トリガー突起又は第２トリガー突起の上面に傾斜縁又は傾斜面を設けると、給油ノズルの先端から外周面へと円滑に当接部位が移っていくので、前記操作感が更に向上する。そして、ベースにアッパーハウジングを追加した場合、給油ノズルはアッパーハウジングの案内口に案内されて第１トリガー突起及び第２トリガー突起に均等に摺接し、どちらか一方に押し付けられて摺動抵抗が増加する事態を回避できる。
【００２４】
第１リンクアーム及び第２リンクアームの連結方向にアーム連結軸を跨いで外嵌された弾性リングは、占有空間を少なくしながら、第１リンクアーム及び第２リンクアームを貫通口に近づける方向へ付勢する付勢力を発生させる。一端が第１リンクアームに、他端が第２リンクアームに係止される弾性リングは、第１リンクアーム及び第２リンクアームの外周に連続して外嵌されるため、占有空間を細小にできる。また、一端が第１リンクアームに、他端が第２リンクアームに摺接され、中央部をベースに支持された弾性リングは、ベースを基点としてより強力な弾性力を発生できる。
【００２５】
フラッパは、貫通口に倣った外形状の面板とすることにより、貫通口を塞いで給油ノズルの通過を阻止した際、前記給油ノズルから万一給油されたガソリンが揮発して給油口付近の気圧を直ちに上昇させ、給油ノズルの自動給油停止機構を作動させることにより、誤給油を停止させることができる。また、フラッパは、掛止突起又は掛止突起の支持部位を弾性変形可能にすることで、押し付けられた給油ノズルにより前記掛止突起が第２リンクアームのストッパを乗り越えさせて開位置に揺動させることができ、給油ノズルの過剰な押し付けによる破損を免れることができる。
【００２６】
アッパーハウジングは、第１リンクアーム及び第２リンクアームが外れることなく揺動できるようにしたり、既述したように、案内口により案内される給油ノズルを第１トリガー突起及び第２トリガー突起に均等に当接させたりするほか、第１リンクアーム及び第２リンクアームが外れることのないモジュールとして誤給油防止装置を取り扱えるようにする。これは、例えば給油口キャップが干渉しなければ、本発明の誤給油防止装置を、前記給油口キャップを定着する給油口にも適用できることを意味する。
【００２７】
スペーサは、標準化されたベースを車種に応じて異なる給油口又は給油管に内嵌させることにより、ベースの仕様を変更することなく、スペーサの仕様を変更するだけで対応して、本発明の誤給油防止装置を様々な車種に取り付けることができるようにする。また、上述のアッパーハウジングとスペーサとの組み合わせにより、本発明の誤給油防止装置をモジュールとして取り扱う際、第１リンクアーム及び第２リンクアームやベースを前記スペーサにより保護できるようになり、モジュールとしての取り扱いが容易になる利点が得られる。
【図面の簡単な説明】
【００２８】
【図１】本発明を適用した誤給油防止装置の一例を上方から見た斜視図である。
【図２】本例の誤給油防止装置の分解斜視図である。
【図３】本例の誤給油防止装置の側面図である。
【図４】本例の誤給油防止装置を下方から見た斜視図である。
【図５】アッパーハウジングを除いた本例の誤給油防止装置の平面図である。
【図６】アッパーハウジングを除いた本例の誤給油防止装置を上方から見た斜視図である。
【図７】アッパーハウジングを除いた別例の誤給油防止装置を上方から見た斜視図である。
【図８】アッパーハウジングを除いた別例の誤給油防止装置の平面図である。
【図９】アッパーハウジングを除いた別例の誤給油防止装置の平面図である。
【図１０】上下逆さまにしたアッパーハウジングの斜視図である。
【図１１】給油口に対する本例の誤給油防止装置の組付関係を表す側面図である。
【図１２】本例の誤給油防止装置を組み付けた給油口を上下逆さまにした斜視図である。
【図１３】本例の誤給油防止装置を組み付けた給油口に給油管を接続した状態の斜視図である。
【図１４】アッパーハウジングを除いた本例の誤給油防止装置に、軽油用の給油ノズルを挿入した場合の平面図である。
【図１５】アッパーハウジングを除いた本例の誤給油防止装置に、軽油用の給油ノズルを挿入した場合の側面図である。
【図１６】アッパーハウジングを除いた本例の誤給油防止装置に、ガソリン用の給油ノズルを挿入した場合の平面図である。
【図１７】アッパーハウジングを除いた本例の誤給油防止装置に、ガソリン用の給油ノズルを挿入した場合の側面図である。
【図１８】アッパーハウジングを除いた本例の誤給油防止装置に、第１リンクアーム側にずらしてガソリン用の給油ノズルを挿入した場合の平面図である。
【図１９】アッパーハウジングを除いた本例の誤給油防止装置に、第１リンクアーム側にずらしてガソリン用の給油ノズルを挿入した場合の側面図である。
【図２０】アッパーハウジングを除いた本例の誤給油防止装置に、第２リンクアーム側にずらしてガソリン用の給油ノズルを挿入した場合の平面図である。
【図２１】アッパーハウジングを除いた本例の誤給油防止装置に、第２リンクアーム側にずらしてガソリン用の給油ノズルを挿入した場合の側面図である。
【発明を実施するための形態】
【００２９】
以下、本発明を実施するための形態について、図を参照しながら説明する。説明の便宜上、誤給油防止装置２の平面図（後掲図５参照）において、紙面手前（軽油用の給油ノズル３（後掲図14及び図15参照）又はガソリン用の給油ノズル４（後掲図16及び図17参照）が差し込まれる側）を上方、紙面奥側（給油ノズル３又は給油ノズル４を差し込んでいく側）を下方とし、また図面右側（第１リンクアーム22のある側）を右方、図面左側（第２リンクアーム23のある側）を左方と呼び、そのほかの図面においても、前記定義に従って上下及び左右を説明する。
【００３０】
本発明の誤給油防止装置２は、図１〜図６に見られるように、第１リンクアーム22及び第２リンクアーム23、フラッパ24を組み付けたベース21に、アッパーハウジング26を重ねて一体化したモジュールとして取り扱われ、スペーサ５を介装して、給油口キャップ（図示略）が締め付けられる給油口１に組み込まれる。モジュール化された誤給油防止装置２は、給油管12の上端に組み込まれてもよい。このように、モジュール化された誤給油防止装置２は、部材がばらけないために取り扱いが容易になり、スペーサ５を変更すれば断面構造の異なる様々な給油口１へ簡単に組み付けることができる。
【００３１】
ベース21は、中央に円形の貫通口211を設けた円環状部分の上面側に、前記円環状部分の周方向に断続して前記周方向の２/３の範囲で、半径方向に長いブロック状のベース側支持突起214を並べ、前記ベース側支持突起214群の中央付近にリンク揺動軸212を上方に突出させ、前記リンク揺動軸212に並べてアッパーハウジング連結鉤216を設けると共に、前記周方向の残る１/3の範囲で周壁を立て、前記周壁にアッパーハウジング連結溝215を設け、前記周壁の貫通口211に左右一対の回動軸受217,217を設けて、前記円環状部分の下面側に、前記回動軸受217,217から下方に延在する左右一対の突起状の回り止め218,218を設けた樹脂製部材である。
【００３２】
貫通口211は、フラッパ24に設けられた掛止突起243が通過する迂回部を、半径方向外向きに突出して設けた円形の開口である。貫通口211は、軽油用の給油ノズル３が通過できればよいため、必ずしも円形でなくてもよいが、本例は従来同種の誤給油防止装置に用いられる開口形状に倣って、円形としている。円環状部分は、前記貫通口211を設け、その他部位を設ける基準部分である。前述の通り、貫通口211は円形でなくてもよく、円環状部分も平面視円形でなくてもよいが、モジュール化された誤給油防止装置２の外形を決定する円環状部分は、断面円形の給油口１又は給油管12に倣って、断面円形としている。
【００３３】
ベース側支持突起214は、第１リンクアーム22及び第２リンクアーム23の裏面と部分的に摺接し、第１リンクアーム22及び第２リンクアーム23それぞれの揺動に際する摩擦抵抗を低減しながら、揺動する第１リンクアーム22及び第２リンクアーム23を下方から支持し、それぞれの揺動する軌道を含む平面（揺動面）を特定する。本例のベース側支持突起214は、上面及び側面との境界角部を丸く面取りして、摺接する第１リンクアーム22及び第２リンクアーム23が前記境界角部に引っかからないようにしている。また、本例のベース側支持突起214は、後述するアッパーハウジング26のアッパー側支持突起263と共に第１リンクアーム22及び第２リンクアーム23を上下に挟み込んで、第１リンクアーム22及び第２リンクアーム23それぞれががたつくことなく揺動できるようにしている。
【００３４】
リンク揺動軸212は、第１リンクアーム22のリンク揺動軸孔226を外嵌し、前記第１リンクアーム22の揺動中心を与える。本例のリンク揺動軸212は、既述したように、ベース側支持突起214及びアッパー側支持突起263で挟まれる第１リンクアーム22が揺動面から逸脱する虞がないため、特に抜け止め防止対策を施していない。しかし、前記ベース側支持突起214及びアッパー側支持突起263による第１リンクアーム22の逸脱防止が期待できない場合、例えば特定角度でしか通過できないキー及びキー溝の組み合わせによる抜け止め防止対策をリンク揺動軸212に施すとよい。
【００３５】
リンク揺動軸212に並んで設けられたアッパーハウジング連結鉤216と、周壁に設けられたアッパーハウジング連結溝215とは、アッパーハウジング26のほぼ点対称位置から下方に突出させた一対の係合爪262,262（図10参照。図10は上下逆になっている）をそれぞれ係合させ、ベース21とアッパーハウジング26とを一体化させる。こうしたベース21とアッパーハウジング26との一体化により、既述したように、ベース21のベース側支持突起214とアッパーハウジング26のアッパー側支持突起263とが第１リンクアーム22及び第２リンクアーム23を上下に挟み、前記第１リンクアーム22及び第２リンクアーム23のがたつきを抑えて、それぞれが安定して揺動できるようにする。
【００３６】
回動軸受217,217は、フラッパ24の回動軸孔242,242に挿通したフラッパ回動軸241の両端それぞれを上方から嵌め込み、ベース１に対するフラッパ24の回動中心を与える。本例の回動軸受217,217は、ベース21にアッパーハウジング26を連結すると、アッパーハウジング連結溝215に係合する係合爪262を設けた周面が直上に位置するようになっている。これにより、フラッパ回動軸241は、前記周面によって両端を回動軸受217,217に押さえ込まれ、上方へ逸脱することが防止される。前記アッパーハウジング26の周面によるフラッパ回動軸24の逸脱防止が期待できない場合、例えば回動軸受217,217と一体又は別体の部材による抜け止め防止対策を施すとよい。
【００３７】
回り止め218,218は、ベース21を当接させる給油口１の支持ブラケット13に設けた回り止め係止部132,132にそれぞれを周方向に係合させる。これにより、誤給油防止装置２は、ベース21を介して給油口１に対して回り止めが図られる。誤給油防止装置２は、フラッパ24が回動して開閉する向きが決まっている。ここで、給油管12は、給油口１より細く、また給油口１に対して偏芯して接続されることが多いため、前記フラッパ24の開閉する向きによっては、給油ノズル３を給油管12まで差し込みにくくなる。こうしたことから、回り止め突起218を用いた誤給油防止装置２の給油口１に対する回り止めが必要になる。
【００３８】
第１リンクアーム22及び第２リンクアーム23は、リンク揺動軸212の点対称位置にアーム連結軸233が位置するように、それぞれがベース21に設けた貫通口211外周をほぼ半割する長さで前記貫通口211の周縁に倣って延びる平面視半円弧状の略扁平な樹脂製板材であり、前記リンク揺動軸212及びアーム連結軸233を結ぶ軸線に直交する方向の点対称位置に一対の第１トリガー突起221及び第２トリガー突起231をそれぞれの上面側に設けている。第１リンクアーム22及び第２リンクアーム23は、平面視形状が必ずしも半円弧状でなくてもよく、例えば角のある折れ曲がった多角辺形状でもよいが、狭い給油口１又は給油管12内に誤給油防止装置２を組み込みながら、必要充分な揺動代を確保するために、平面視半円弧状が好適である。
【００３９】
本例の第１リンクアーム22は、上下方向に貫通する円筒状のリンク揺動軸孔226を一端（図２中右下側）に設け、上面から上方に突出する円柱状のアーム連結軸223を他端（図２中左上側）に設け、前記リンク揺動軸孔226及びアーム連結軸223を結ぶ周方向の中間付近から、貫通口211の半径方向内向きに突出する第１トリガー突起221を設けている。第１リンクアーム22は、リンク揺動軸孔226をリンク揺動軸212に外嵌してベース21に対して揺動自在に軸着し、アーム連結軸223にアーム連結軸孔233を外嵌させて第２リンクアーム23と屈曲自在に連結する。
【００４０】
第１トリガー突起221は、貫通口211の半径方向内向きに下り勾配となる傾斜面222を形成している。これにより、第１トリガー突起221の傾斜面222に給油ノズル３又は給油ノズル４が上方から当接すると、リンク揺動軸212を中心として、アーム連結軸223を設けた他端を貫通口211から遠ざける方向へ第１リンクアーム22を揺動させる。そして、給油ノズル３又は給油ノズル４の外周面に第１トリガー突起221の先端が当接すると、貫通口211に近づく方向へ付勢されていても、第１リンクアーム22は揺動した状態が保持される。
【００４１】
本例の第２リンクアーム23は、上下方向に貫通する円筒状のアーム連結軸孔233を一端（図２中上側）に設け、下方に一段下がったフランジとしてストッパ236を他端（図２中下側）に設け、前記アーム連結軸孔233及びストッパ236を結ぶ周方向の中間付近から、貫通口211の半径方向内向きに突出する第２トリガー突起231を設けている。第２リンクアーム23は、アーム連結軸孔233をアーム連結軸223に外嵌させて第２リンクアーム23と屈曲自在に連結し、ストッパ236をベース21のアッパーハウジング連結鉤216下方に潜り込ませ、前記アッパーハウジング連結鉤216との間にフラッパ24の掛止突起243を差し込ませ、前記フラッパ24が開位置に向けて回動することを防止する。
【００４２】
第２トリガー突起221は、上述した第１トリガー突起211同様、貫通口211の半径方向内向きに下り勾配となる傾斜面232を形成している。これにより、第２トリガー突起231の傾斜面232に給油ノズル３又は給油ノズル４が上方から当接すると、アーム連結軸223を中心として、ストッパ236を設けた他端を貫通口211から遠ざける方向へ、第２リンクアーム23を揺動させる。そして、給油ノズル３又は給油ノズル４の外周面に第２トリガー突起231の先端が当接すると、貫通口211に近づく方向へ付勢されていても、第２リンクアーム23は揺動した状態が保持される。
【００４３】
第１トリガー突起221及び第２トリガー突起231が同時に給油ノズル３に押されると、ベース21に設けたリンク揺動軸212を中心として、アーム連結軸223を貫通口211から遠ざける方向へ第１リンクアーム22を揺動させ、前記揺動させた第１リンクアーム22に設けたアーム連結軸223を中心として、ストッパ236を貫通口211から遠ざける方向へ第２リンクアーム23を揺動させる。ここで、本例の第１リンクアーム22及び第２リンクアーム23は、リンク揺動軸212に近接した位置にストッパ236を突出させているから、第１リンクアーム22及び第２リンクアーム23の揺動が最大限増幅されてストッパ236に伝達され、前記ストッパ236を大きく変位させることができる。
【００４４】
本例の第１リンクアーム22は、第１トリガー突起221の半径方向外側に弾性リング端掛止溝225を設け、前記弾性リング端掛止溝225から第２リンクアーム23に向けて周方向に延びる弾性リング嵌合溝224を設けている。同様に、本例の第２リンクアーム23は、第２トリガー突起231の半径方向外側に弾性リング端掛止溝235を設け、前記弾性リング端掛止溝235から第１リンクアーム22に向けて周方向に延びる弾性リング嵌合溝234を設けている（図３及び図４参照）。
【００４５】
これにより、本例の第１リンクアーム22及び第２リンクアーム23は、アーム連結軸223を跨いで半円弧状の弾性リング25を前記弾性リング嵌合溝224及び弾性リング嵌合溝225に嵌合し、前記弾性リング35の内曲がり端251,251を弾性リング端掛止溝225及び弾性リング端掛止溝235に掛止させ、それぞれが貫通口211に近づく方向へ付勢される。弾性リング25は、弾性を備えた金属（バネ鋼）製の半円弧状部材で、拡径すると縮径しようとする復元力（弾性力）を発揮する。本例の弾性リング35は、アーム連結軸223を避けるため、小さく突出する円弧状のアーム連結軸回避部252を設けている。弾性リング25による付勢は、前記アーム連結軸回避部252で分断されず、あくまで弾性リング25全体が縮径しようとする復元力により与えられる。
【００４６】
第１リンクアーム22及び第２リンクアーム23は、第１トリガー突起221又は第２トリガー突起231のどちらかだけがガソリン用の給油ノズル４に押される（軽油用の給油ノズル３は第１トリガー突起221及び第２トリガー突起231を同時に押す）と、両者が一体となって揺動する。例えば給油ノズル４に第１トリガー突起221が押されると、第１リンクアーム21は前記給油ノズル４に直接押されて揺動し、第２リンクアーム23は第１リンクアーム22が揺動して拡径した弾性リング25の復元力に押され、第１リンクアーム22に追随して揺動する。このように、弾性リング25は、第１リンクアーム22及び第２リンクアーム23の一体的な揺動にも寄与する。
【００４７】
弾性リング25は、図７に見られるように、貫通口211の半径方向外側へ大きく膨出させた中央部254を、ベース21の周面に設けた保持突起213に保持させ、第１リンクアーム22及び第２リンクアーム23の弾性リング嵌合溝224,234に嵌合させながら、外曲がり端253,243を弾性リング端掛止溝225,235に掛止させない別例の構成でもよい。中央部254は、アッパーハウジング26の周面に押さえ込まれ、位置固定される。別例の弾性リング25は、中央部254を挟んだ右半分が外曲がり端254をずらしながら拡径すると縮径しようとする復元力を発生させ、第１リンクアーム22を貫通口211に近づく方向へ付勢する。同様に、中央部254を挟んだ左半分が外曲がり端254をずらしながら拡径すると縮径しようとする復元力を発生させ、第２リンクアーム23を貫通口211に近づく方向へ付勢する。このように、別例の弾性リング25は、第１リンクアーム22及び第２リンクアーム23それぞれ個別に付勢力を与える。
【００４８】
フラッパ24は、円形の貫通口211をほぼ塞ぐ大きさの略円形状の金属製板材で、板面から90度に折り曲げて外周縁から平行に突出した左右一対のフランジに回動軸孔242を設け、捻りコイルバネ245を遊嵌しながら前記回動軸孔242に挿通したフラッパ回動軸241の一端を裏面側に、他端をベース21にそれぞれ押し付けながら、前記フラッパ回動軸241の両端を回動軸受217,217に嵌め込んで、貫通口211のほとんどを占める閉位置から前記貫通口211から下方へ遠ざかる開位置まで回動自在にして、ベース21に取り付ける。
【００４９】
掛止突起243は、第２リンクアーム23に設けられたストッパ236に掛止できれば、フラッパ24の外周縁のどこから突出させてもよい。しかし、フラッパ回動軸241と斜めに交差する方向へ突出させると、フラッパ24に押し付けたガソリン用の給油ノズル４（軽油用の給油ノズル３はフラッパ24を押し開くので、フラッパ24に押し付けられない）の負荷が偏って加わり、フラッパ24を破損させる虞がある。これから、本例の掛止突起243は、フラッパ回動軸241に直交する方向へ突出させている。これから、第２リンクアーム23のストッパ236が第１リンクアーム22を軸着するリンク揺動軸212近傍にあることから、本例のフラッパ24におけるフラッパ回動軸241は、リンク揺動軸212の点対称位置にあるアーム連結軸223近傍に位置する。
【００５０】
本例のフラッパ24は、掛止突起243からフラッパ回動軸241へ向けて延びる凸条を形成して板面の剛性を高め、例えばガソリン用の給油ノズル４が押し付けられても、撓むことなく、閉位置を維持できるようにしている。これに対し、ガソリン用の給油ノズル４が受け流し荷重以上で押し付けられると弾性変形するように、掛止突起243の支持部位にフラッパ回動軸241と平行な波形条246を設けたり（図８参照）、掛止突起243を挟んで延びる左右一対のスリット247,247を設けたり（図９参照）してもよい。これにより、給油ノズル４が過剰に押し付けられると、波形条246（図８例示のフラッパ24）又は掛止突起243（図９例示のフラッパ24）自体を弾性変形させて、掛止突起243が第２リンクアーム23のストッパ236を越えてフラッパ24が回動できるようにし、前記フラッパ24の破損を免れるようにできる。
【００５１】
本例の誤給油防止装置２は、ベース21に対してアッパーハウジング26を装着してモジュール化し、第１リンクアーム22及び第２リンクアーム23が逸脱する虞をなくして取り扱いを容易にし、ベース21のベース側支持突起214とアッパーハウジング26のアッパー側支持突起263とで第１リンクアーム22及び第２リンクアーム23を挟んで、前記第１リンクアーム22及び第２リンクアーム23の揺動を安定させる。ベース側支持突起214及びアッパー側支持突起263は、それぞれ複数設け、揺動する第１リンクアーム22及び第２リンクアーム23と常に複数が摺接すればよく、両者は周方向に同じ位置に設けても、又は違う位置に設けてもよい。
【００５２】
本例のアッパーハウジング26は、樹脂製の円筒部材で、組み付けたベース21の貫通口211と同芯かつ同一円形状の案内口261を開口し（図２及び図10参照）、前記案内口261を囲んで周方向に断続して、半径方向に長いブロック状のアッパー側支持突起263を複数設け、そして点対称位置に一対の連結爪262を下方に突出させている（図10参照。図10は上下逆になっている）。アッパー側支持突起263は、上面を案内口261の半径方向内向きに下り勾配の斜面にし、前記斜面に当接した給油ノズル３,４が無理なく案内口261に導かれるようにしている。係合爪262の一方は、本体の外周面に倣った周面外側に設けてあり、前記周面が回動軸受217や保持突起213と対になって、フランジ回動軸241や弾性リング25の中央部254を挟み込んで保持する。
【００５３】
本例の誤給油防止装置２は、図11〜図13に見られるように、ベース21及びアッパーハウジング26にスペーサ５を介装して、給油口１に組み付ける。スペーサ５は、ベース21及びアッパーハウジング26の外周面と、給油口１の内周面との隙間を満たす厚みで半円弧状に湾曲した周面からなる樹脂製部材で、上縁内側の点対称位置に一対のアッパーハウジング係合爪52,52を設け、下方に突出した４枚のフラップそれぞれに給油管係合爪51,51,51,51を設け、そして前記フラップ間に弾性変形するアッパーハウジング押圧片53,53を設けている。スペーサ５の具体的構造は、ベース21及びアッパーハウジング26の構造と給油口１の構造とにより決まる。
【００５４】
本例の給油口１は、雌ネジ11を刻設した上段円筒と前記上段円筒より外径が小さく段差を介して連続する下段円筒とから構成される金属製の二段円筒で、連通口134を設けた金属製の円筒である支持ブラケット13を前記下段円筒の内側に下方から差し込んで溶接で固定し、前記支持ブラケット13を覆うように給油管12を下段円筒に外嵌して溶接で固定している（図11参照）。支持ブラケット13は、上縁から一部を切り欠いて、給油口１の下段円筒の下縁に対して給油管係合爪スリット131を形成し、連通口134を囲む環状フランジの受け底面133の一部に前記連通口134と繋がった２個一対の切欠である回り止め係止部132を設けている（図12参照）。
【００５５】
給油口１に対する誤給油防止装置２の組付手順を説明する。まず、支持ブラケット13を取り付けた給油口１にスペーサ５を上方から挿入し、給油管係合爪51,51を給油管係合爪スリット131に係合させて、給油口１にスペーサ５を位置固定する。そして、ベース21及びアッパーハウジング26を一体化したモジュルの誤給油防止装置２を前記スペーサ５に挿入し、ベース21の底面の回り止め218,218を支持ブラケット13の回り止め係止部132に係合させながら前記底面を支持ブラケット13の受け底面に押し当て、スペーサ５のアッパーハウジング係合爪52,52をアッパーハウジング26の上縁に係合させれば、組み付けを終える。このように、本例の誤給油防止装置２は、給油口１に対する組付に溶接やネジ止め等の固定手段を用いていない。給油管係合爪51,51を係合させる給油管係合爪スリット131は、下段円筒に外嵌される給油管12に覆われ、給油口１内外を連通させない（図13参照）。
【００５６】
誤給油防止装置２は、給油口１に固定された支持ブラケット13の受け底面133と、同じく給油口１に位置固定されたスペーサ５のアッパーハウジング係合爪52とに上下に挟まれ、位置固定される。また、誤給油防止装置２は、スペーサ５のアッパーハウジング押圧片53が、アッパーハウジング26を半径方向に押し付けられ、がたつきが抑制又は防止される。本例の誤給油防止装置２は、ベース21から突出する一対の回り止め218,218を、支持ブラケット13に設けた一対の回り止め係止部132,132に周方向に係合して回り止めが防止され、フラッパ24の開閉する向きが給油口１に対して特定されている。これから、給油口１に対して特定の向きに給油管12を接続すれば、給油管12に対してフラッパ24の開閉する向きも特定される。給油ノズル３は、同芯で上下に並ぶ案内口261、貫通口211、そして連通口134を通って給油管12に差し込まれる。
【００５７】
本例の誤給油防止装置２の働きを説明する。第１トリガー突起221及び第２トリガー突起231は、互いの先端を直線で結んだ最短距離DM（図５参照）が、軽油用の給油ノズル３の相対的に大きな外径DL（図14参照）より小さく、ガソリン用の給油ノズル４の相対的に小さな外径DS（図16参照）より大きい。これから、軽油用の給油ノズル３であれば、第１トリガー突起221及び第２トリガー突起231を同時に押すことができるが、ガソリン用の給油ノズル４であれば、第１トリガー突起221及び第２トリガー突起231のいずれか一方しか押すことができない。このように、本例の誤給油防止装置２は、第１トリガー突起221及び第２トリガー突起231を同時に押せるか、どちらか一方しか押せないかにより、給油ノズル３,４の外径DL,DSを識別する。
【００５８】
誤給油防止装置２は、何もしない状態で、フラッパ24の掛止突起243下方に第２リンクアーム23のストッパ236が差し込まれ、前記フラッパ24を開くことができない。ここで、外径DLである軽油用の給油ノズル３が給油口１から挿入されると、図14及び図15に見られるように、案内口261を抜けた給油ノズル３の先端が第１トリガー突起221及び第２トリガー突起231の傾斜面222,232に当接し、そのまま前記傾斜面222,232を押すことにより、第１トリガー突起221及び第２トリガー突起231を互いに遠ざけ、第１リンクアーム22及び第２リンクアーム23をいずれも貫通口211から遠ざける方向に揺動させる。これにより、第１リンクアーム22は、他端に設けられたアーム連結軸223を貫通口211から遠ざける方向に変位させ、第２リンクアーム23は、前記アーム連結軸223を中心としてストッパ236を貫通口211から遠ざける方向に変位させる。
【００５９】
給油ノズル３が更に深く挿入されると、給油ノズル３の先端が第１トリガー突起221及び第２トリガー突起231の傾斜面222,232を抜け、今度は給油ノズル３の側面が前記第１トリガー突起221及び第２トリガー突起231の先端に当接する。この段階に至る過程で、第１リンクアーム22及び第２リンクアーム23は、更に貫通口211から遠ざける方向にそれぞれ揺動する結果、第２リンクアーム23の他端に設けられたストッパ236が大きく変位して、フラッパ24の掛止突起243下方から前記ストッパ236が外れる。これにより、フラッパ24は、給油ノズル３に押されるまま下方へ回動し、前記給油ノズル３が給油管12まで差し込まれる（図15参照）。
【００６０】
給油管12まで給油ノズル３が挿入された状態では、第１リンクアーム22及び第２リンクアーム23は、拡径した弾性リング25により貫通口211に近づく方向へ付勢され、フラッパ24は、捻りコイルバネ245により閉位置に向けて付勢されているるが、いずれも給油ノズル３に揺動又は回動が妨げられている。このため、給油ノズル３が引き抜かれると、まず捻りコイルバネ254の働きによりフラッパ24が閉位置まで回動し、続いて弾性リング25の働きにより第１リンクアーム22及び第２リンクアーム23が貫通口211に近づく方向へ揺動して、第２リンクアーム23のストッパ236が前記フラッパ24の掛止突起243下方に再び差し込まれる。こうして、給油ノズル３を引き抜けば、再びフラッパ24が閉じ、ストッパ236により開くことができないようになる。
【００６１】
フラッパ24の掛止突起243下方に差し込まれた第２リンクアーム23のストッパ236により前記フラッパ24を開くことができない状態で、外径DSであるガソリン用の給油ノズル４が給油口１から挿入されると、図16及び図17に見られるように、案内口261を抜けた給油ノズル３は、外径DSが第１トリガー突起221及び第２トリガー突起231の最短距離DMより小さいため、第１トリガー突起221及び第２トリガー突起231の傾斜面222,232いずれも押すことができないので、第１リンクアーム22及び第２リンクアーム23を揺動させない。このため、第２リンクアーム23の他端に設けられたストッパ236が動かず、フラッパ24の掛止突起243は前記ストッパ236に掛止されたままで、フラッパ24を回動させない。これにより、給油ノズル４は、フラッパ24に当接するのみで、給油管12まで差し込まれない（図17参照）。
【００６２】
本例のフラッパ24は、貫通口211を完全に塞がず、隙間を残している（例えば図５参照）。このため、開かないフラッパ24に当接した給油ノズル４からガソリンが給油され始めると、前記ガソリンが給油管12に流れ込むことを完全に防止できない。しかし、前記隙間が十分に小さいため、給油ノズル４からガソリンが給油され始めても、発生するガソリン蒸気によって誤給油防止装置２より上方の気圧がすぐに高まり、給油ノズル４の自動給油停止機構を作動させ、ガソリンの給油を停止させることができる。貫通口211に対してフラッパ24が残す隙間は、緊急時に際して携行缶付属のノズルを挿入しても給油できるようにする働きを有する。
【００６３】
ガソリン用の給油ノズル４が給油口１から偏って挿入され、第１トリガー突起221のみを押す場合、図18及び図19に見られるように、案内口261を抜けた給油ノズル３は、第１トリガー突起221の傾斜面222を押し、リンク揺動軸212を中心として第１リンクアーム22を貫通口211から遠ざかる方向に揺動させる。これにより、拡径した弾性リング25の復元力により付勢された第２リンクアーム23が、第１リンクアーム22に引き寄せられるように、アーム連結軸223を中心として揺動する。
【００６４】
この結果、第１リンクアーム22及び第２リンクアーム23は、リンク揺動軸212を中心として、一体的に右方（図18中右方）へ揺動する。ここで、第２リンクアームのストッパ236は、リンク揺動軸212近傍にあるため、前記第１リンクアーム22及び第２リンクアーム23の一体的な揺動によってもほとんど変位しない。このため、フラッパ24の掛止突起243は前記ストッパ236に掛止されたままとなり、フラッパ24を回動させない。こうして、フラッパ24は、給油ノズル４が給油管12まで差し込まれことが防止される（図19参照）。
【００６５】
同様に、ガソリン用の給油ノズル４が給油口１から偏って挿入され、第２トリガー突起231のみを押す場合、図20及び図21に見られるように、案内口261を抜けた給油ノズル３は、第２トリガー突起231の傾斜面232を押し、アーム連結軸223を中心として第２リンクアーム23を貫通口211から遠ざかる方向に揺動させる。これにより、拡径した弾性リング25の復元力により付勢された第１リンクアーム22が、第２リンクアーム23に引き寄せられるように、リンク揺動軸212を中心として揺動する。
【００６６】
この結果、第１リンクアーム22及び第２リンクアーム23は、リンク揺動軸212を中心として、一体的に左方（図21中左方）へ揺動する。ここで、第２リンクアームのストッパ236は、リンク揺動軸212近傍にあるため、前記第１リンクアーム22及び第２リンクアーム23の一体的な揺動によってもほとんど変位しない。このため、フラッパ24の掛止突起243は前記ストッパ236に掛止されたままとなり、フラッパ24を回動させない。こうして、フラッパ24は、給油ノズル４が給油管12まで差し込まれことが防止される（図21参照）。
【符号の説明】
【００６７】
１  給油口
11  雌ネジ
12  給油管
13  支持ブラケット
131  給油管係合爪受スリット
２  誤給油防止装置
21  ベース
211  貫通口
212  リンク揺動軸
22  第１リンクアーム
221  第１トリガー突起
222  傾斜面
223  アーム連結軸
226  リンク揺動軸孔
23  第２リンクアーム
231  第２トリガー突起
232  傾斜面
233  アーム連結軸孔
24  フラッパ
241  フラッパ回動軸
243  掛止突起
25  弾性リング
26  アッパーハウジング
261  案内口
３  軽油用の給油ノズル
４  ガソリン用の給油ノズル
５  スペーサ
DL  軽油用の給油ノズルの外径
DS  ガソリン用の給油ノズルの外径
DM  第１トリガー突起及び第２トリガー突起の距離
【図１】
2015074409.tif 000003
【図２】
2015074409.tif 000004
【図３】
2015074409.tif 000005
【図４】
2015074409.tif 000006
【図５】
2015074409.tif 000007
【図６】
2015074409.tif 000008
【図７】
2015074409.tif 000009
【図８】
2015074409.tif 000010
【図９】
2015074409.tif 000011
【図１０】
2015074409.tif 000012
【図１１】
2015074409.tif 000013
【図１２】
2015074409.tif 000014
【図１３】
2015074409.tif 000015
【図１４】
2015074409.tif 000016
【図１５】
2015074409.tif 000017
【図１６】
2015074409.tif 000018
【図１７】
2015074409.tif 000019
【図１８】
2015074409.tif 000020
【図１９】
2015074409.tif 000021
【図２０】
2015074409.tif 000022
【図２１】
2015074409.tif 000023